(57)【特許請求の範囲】
【請求項１】
床パネルを所定間隔離して基礎床面上に敷き、床パネル間の空間を溝蓋で覆って配線溝とするフリーアクセスフロアにおいて、溝蓋は、床パネルに対し、その全部又は大部分が床パネルの上面に係止被置されて収納される縮小状態と、外方に引き出されてその端部が床パネルの端部に係止載置されて配線溝を閉蓋する拡張状態とをとるものであるフリーアクセスフロア。
【請求項２】
溝蓋は、床パネルの上面に被置される水平部を有するとともに、水平部の一方の端部には係止爪を、他方の端部には立壁部をそれぞれ垂設するものであり、床パネルは、中央部と端部とに係止爪を係止する係止孔を形成するものである請求項１のフリーアクセスフロア。
【請求項３】
溝蓋は、床パネルの上面に被置される水平部を有するとともに、水平部の両端部には係止爪を垂設するものであり、床パネルは、中央部と端部とに係止爪を係止する係止孔を形成するものである請求項１のフリーアクセスフロア。
【発明の詳細な説明】
【０００１】
【産業上の利用分野】
本発明は、床パネル間の空間を配線溝とする溝工法のフリーアクセスフロアに関するものである。
【０００２】
【従来の技術】
溝工法には、床パネル自体に配線溝を形成するものと、床パネルを所定間隔離して敷き、その間の空間を配線溝にするものとがあるが、いずれの場合も、配線溝は溝蓋で覆わなければならない。従って、この工法に用いられる床部材は、少なくとも床パネルと溝蓋の二種を有していることになる。
【０００３】
【発明が解決しようとする課題】
このうち、前者のものは、床パネルと溝蓋を一体的な構造にできるから、床パネルを敷設するだけで配線溝が確保できる利点がある。しかし、配線溝は床パネル内に形成されることから、床パネルのサイズがどうしても大きくなって梱包費や運送費が高くつくし、取扱性も悪い。これを向上させようとすると、配線溝のスペースが大きく取れないといった問題がある。
【０００４】
これに対して後者のものは、床パネルと溝蓋とは別々に構成されるから、個々のものは小型、軽量化でき、十分な配線スペースも取れるといった長所がある。しかし、別部材であるが故に、梱包や運送もそれぞれ別々にしなければならないし、施工も手間がかかり、コストが高くなるのは否めない。
【０００５】
本発明は、このような課題に対処するものであり、別部材でありながらも同一梱包が可能な一体的な構成にでき、しかも、施工も容易なフリーアクセスフロアを提供するものである。
【０００６】
【課題を解決するための手段】
以上の課題の下、本発明は、床パネルを所定間隔離して基礎床面上に敷き、床パネル間の空間を溝蓋で覆って配線溝とするフリーアクセスフロアにおいて、溝蓋は、床パネルに対し、その全部又は大部分が床パネルの上面に係止被置されて収納される縮小状態と、外方に引き出されてその端部が床パネルの端部に係止載置されて配線溝を閉蓋する拡張状態とをとるものであるフリーアクセスフロアを提供するものである。
【０００７】
【作用】
以上の手段をとることにより、即ち、溝蓋は、縮小状態をとるときに、その全部又は大部分が床パネルの上面に被置載置されて収納されるものであるから、梱包等はこの状態のままでできる。又、縮小状態における占有スペースも小さくて足りる。更に、拡張状態をとることで、配線溝を閉蓋できるのであるから、施工作業も容易である。この場合において、縮小状態、拡張状態とも、溝蓋は床パネルに係止されるものであるから、両方の状態は安定し、離脱したりしない。
【０００８】
【実施例】
以下、本発明の実施例を図面を参照して説明する。図１は本発明の実施例を示す床パネルと溝蓋との拡張状態の平面図、図２は図１のＡ−Ａ断面図、図３は縮小状態の平面図、図４は正面図、図５は側面図、図６は断面図である。本発明に係るフリーアクセスフロアは、床パネル１０と、床パネル１０間に形成される配線溝を閉蓋する溝蓋１２とからなり、溝蓋１２は床パネル１０に対し、後述する縮小状態と拡張状態とをとる。
【０００９】
本例における床パネル１０は、平らな上面１４と、上面１４の端部から垂下する側壁１６とを有する方形をしているものである。これに対して溝蓋１２は、水平部１８を有する他、水平部１８の一方の端部には立壁部２０を、他方の端部中央には小片の係止爪２２をそれぞれ垂設しているものである。床パネル１０の上面１４中央寄りには係止孔２４を形成し、係止爪２２がこの係止孔２４に嵌合係止して床パネル１０の上面に被置されるとともに、立壁部２０が床パネル１０の側壁１６に沿って垂下した状態を縮小状態とするものである。
【００１０】
床パネル１０の上面１４端部にも係止孔２６を形成しておき、溝蓋１２を外方に引き出して係止爪２２をこの係止孔２６に嵌合係止して載置するとともに、立壁部２０の下端を基礎床面に接地させた状態が拡張状態である。尚、以上の溝蓋１２は床パネル１０の半分以下の幅とし、一枚の床パネル１０に対して二枚の溝蓋１２が対向した状態で縮小状態がとれるようにしている。又、溝蓋１２を拡張状態にしたとき、水平部１８の上面と床パネル１０の上面１４とは面一になる必要があるから、引き出す側の上面１４の端部には水平部１８の厚みだけ低段に形成しておく。
【００１１】
溝蓋１２が床パネル１０に対して以上の縮小状態をとることにより、梱包等もこのままの形態で同時にできることになるとともに、その際の占有スペースは床パネル１０単体とほとんど変わらないものとなる。この場合において、溝蓋１２は床パネル１０に対して係止されているから、梱包姿勢も安定して荷崩れしたりすることがない。
【００１２】
一方、溝蓋１２を床パネル１０に対して拡張状態とする作業を敷設空間に展開して行くことにより、床パネル１０間に配線溝を確保した溝工法の床構造が構築できる。この場合において、溝蓋１２を床パネル１０の外方に引き出してその係止爪２２を床パネル１０の係止孔２６に嵌合係止するだけでよいのであるから、その作業が容易、迅速である。更に、両者は係止されているのであるから、敷設状態も安定して相互に位置ずれを起こしたりしない。
【００１３】
ところで、溝蓋１２をこの拡張状態にしたとき、その立壁部２０は隣に来る床パネル１０に対して適当な係止構造等で互いに係止されるのが位置ずれ防止の見地からも好ましい。そこで、本例では、床パネル１０の側壁１６及び溝蓋１２の立壁部２０の各々の下端の四隅等に据置性を良くし、且つ、音鳴り等を防ぐための接地緩衝材２８、３０を履かせるようにしておくとともに、溝蓋１２の接地緩衝材３０に係止孔３２を形成してこの係止孔３２に床パネル１０の側壁１６の接地緩衝材２８を嵌合係止するようにしている。
【００１４】
以上の床パネル１０及び溝蓋１２は、共に薄い鋼板製のものが重量やコスト面から適するが、アルミ等の軽量金属による鋳造品であってもよい。この他、床パネル１０の側壁１６及び溝蓋１２の立壁部２０には配線等を通せる配線窓３４、３６を形成しておく。尚、この配線窓３４、３６は、切取り又は折曲げ可能なもので覆っておき、必要なときだけに形成するものであってもよい。
【００１５】
ところで、本例における溝蓋１２は、床パネル１０の幅よりもやや狭くしてあるが、これは床パネル１０と溝蓋１２との同一梱包性を高めるためであり、同一幅にする等これに限られるものではない。尚、この場合は、床パネル１０のコーナー部が突き合う箇所には方形の空間ができるから、この空間を適当な中央蓋で係止閉蓋することになる（床パネル１０のコーナー部に形成されている係止孔３８はこのためのものである）。
【００１６】
図７は床パネル１０に対して溝蓋１２を拡張状態にし、コーナー部にできる空間を中央蓋４０で閉蓋して基礎床面上に敷き詰めた状態の平面図であるが、この場合、床パネル１０間に配線溝を確保しようと思えば、隣合う床パネル１０では、溝蓋１２の引出し方向を直角にすることになる。
【００１７】
図８は本発明の他の実施例を示す床パネル１０と溝蓋１２との関係を示す断面図であるが、本例における溝蓋１２は、水平部１８を有する平板体をしているものであり、水平部１８の両端部にはそれぞれ係止爪２２を垂設するものである。この場合、両係止爪２２が床パネル１０の上面１４のそれぞれの係止孔２４、２６に嵌合係止されて水平部１８が上面１４に被置された状態が縮小状態、外方に引き出されて一方の係止爪２２が上面１４の端部の係止孔２６に嵌合係止された状態が拡張状態である。
【００１８】
ところで、この拡張状態のとき、水平部１８の外方端部は隣の床パネル１０に係止載置されるのが好ましい。従って、この溝蓋１２を使用する床パネル１０は四縁ともに低段部を形成しておく。
【００１９】
【発明の効果】
以上、本発明は、前述したものであるから、次のような効果が期待できる。
ａ）溝蓋を床パネルに対して縮小状態とすることにより、床パネルと同一梱包を行なうことができる。従って、梱包費及びこれに基づく運搬費を安価なものとすることができる。
ｂ）縮小状態のときの荷姿は床パネル単体のものとほとんど変わらない。従って、この面からも梱包費を抑えることができる。
ｃ）縮小状態のとき、溝蓋は床パネルに対して係止されているから、梱包状態においても安定性が増し、持ち運び等において安全なものとなる。
ｄ）敷設に際しては、縮小状態となったものを基礎床面に置き、溝蓋を引き出して拡張状態とすることで施工ができる。従って、敷設作業が容易で、施工費を低減できる。
【図面の簡単な説明】
【図１】本発明の第１実施例を示す床パネルと溝蓋の拡張状態の平面図である。
【図２】図１のＡ−Ａ断面図である。
【図３】本発明の第１実施例を示す床板と溝蓋の縮小状態の平面図である。
【図４】本発明の第１実施例を示す床板と溝蓋の縮小状態の正面図である。
【図５】本発明の第１実施例を示す床板と溝蓋の縮小状態の側面図である。
【図６】本発明の第１実施例を示す床板と溝蓋の縮小状態の断面図である。
【図７】本発明の第１実施例を示す床板と溝蓋の拡張状態の平面図である。
【図８】本発明の第２実施例を示す床板と溝蓋の拡張状態の断面図である。
【符号の説明】
１０  床パネル
１２  溝蓋
１４  床パネルの上面
１８  溝蓋の水平部
２０  溝蓋の立壁部
２２  係止爪
２４  係止孔
２６  係止孔
【図１】
0003545841.tif 000002
【図２】
0003545841.tif 000003
【図３】
0003545841.tif 000004
【図４】
0003545841.tif 000005
【図５】
0003545841.tif 000006
【図６】
0003545841.tif 000007
【図７】
0003545841.tif 000008
【図８】
0003545841.tif 000009